(57)【要約】【課題】  身近なカレンダーを対象にして関連付けることで祝日などの特定日に対応して簡便にミニチュア型簡易旗類を掲出できて玄関先に本旗を掲げる行為の代わりとなる意思表示ともし得るようにしたカレンダー用簡易旗類掲出具を提供すること。【解決手段】  対象とするカレンダーの紙面や綴じ具などの構成材に関連付けて装着可能なセット具を主たる部材として有し国民の祝日などで代表される特定の日に応じて同セット具を介して簡易旗類をカレンダーに掲出可能に構成した。【選択図】図１
0003182720.tif 000002
【実用新案登録請求の範囲】
【請求項１】
対象とするカレンダーの紙面や綴じ具などの構成材に関連付けて装着可能なセット具を主たる部材として有し国民の祝日などで代表される特定の日に応じて同セット具を介して簡易旗類をカレンダーに掲出可能に構成したカレンダー用簡易旗類掲揚具。
【考案の詳細な説明】
【技術分野】
【０００１】  本考案は、カレンダー用簡易旗類掲出具に関する。
【背景技術】
【０００２】  カレンダーには、その上欄に風景や教訓などが表示され下欄には１ヶ月あるいは通年の暦表が表示されたものや１枚の紙面全体に暦表が表示され１ヶ月毎にめくるか破り取って新規なものにしてゆくようにしたものなど各種のものがある。
【先行技術文献】
【特許文献】
【０００３】
【特許文献１】
【考案の概要】
【考案が解決しようとする課題】
【０００４】  近年、国民の祝日における国旗掲揚の意思のある国民は非常に少なくなってきた一方において、国民に対する国旗掲揚推進への啓蒙も進んでいるのが現状である。しかし、こうした推進、啓蒙にも拘らず現実には国旗掲揚する者は依然として少なく、その有効な対策が望まれているところである。【０００５】  本考案は、こうした問題を解決しようとするものであり、身近なカレンダーを対象にして関連付けることで祝日などにおいて簡便に旗類を掲揚できて玄関先に本旗を掲げる行為の代わりともし得るようにしたカレンダー用簡易旗類掲出具を提供することを目的とする。
【課題を解決するための手段】
【０００６】  本考案は上記目的を達成するため、請求項１に記載の考案は、対象とするカレンダーの紙面や綴じ具などの構成材に関連付けて装着可能なセット具を主たる部材として有し国民の祝日などで代表される特定の日に応じて同セット具を介して簡易旗類をカレンダーに掲出可能に構成した。
【考案の効果】
【０００７】  上述したように請求項１に記載の考案は、対象とするカレンダーの紙面や綴じ具などの構成材に関連付けて装着可能なセット具を主たる部材として有し国民の祝日などで代表される特定の日に応じて同セット具を介して簡易旗類をカレンダーに掲出可能に構成したので、身近なカレンダーを対象にして関連付けることで祝日などの特定日に対応して簡便にミニチュア型簡易旗類を掲出できて玄関先に本旗を掲げる行為の代わりとなる意思表示ともし得るようにしたカレンダー用簡易旗類掲出具を提供することができる。
【図面の簡単な説明】
【０００８】
【図１】  本考案の一実施形態を示す正面図。
【図２】  図１のミニチュア型簡易旗類とセット具の予備付設方法を示す斜視図。
【図３】  他の実施形態を示す分解斜視図。
【図４】  他の実施形態を示す斜視図。
【図５】  他の実施形態を示す掲示具取付要領正面図。
【図６】  図５と同一の実施形態を示す掲示具取付後の正面図。
【図７】  図５と同一の実施形態を示す掲示具収納後の正面図。
【図８】  図６の他の操作方式例を示す正面図。
【図９】  他の実施形態を示す正面図。
【図１０】  他の実施形態を示す正面図。
【図１１】  他の実施形態を示す正面図。
【図１２】  他の実施形態を示す正面図。
【図１３】  他の実施形態を示す正面図。
【考案を実施するための形態】
【０００９】  以下、本考案であるカレンダー用簡易旗類掲出具の一実施形態を図１および図２に基づいて説明する。
これらの図において、１は取付対象壁面で、同壁面１の適所にはフック２が取り付けられ、同フック２を介して中央の掛孔３を掛け留めることによりカレンダー５が吊り掛けられている。このカレンダー５は、台紙６と綴じ具７および各月ごとに暦表示された１２ヶ月分の暦シート８…とを備え、台紙６は、上半分の欄に富士山などの景色などを表示する一方、下半分には、１２ヶ月分の暦紙８…を綴じ具７で纏めたものが止め付けられている。このカレンダー５は、１枚の紙に１年分の暦が表示されたタイプであったり、月別の暦紙を端縁のスパイラルリングなどで綴じたタイプ（卓上カレンダーも含む）でもよい。
【００１０】  １０はミニチュア型簡易旗類である日の丸国旗セット（ミニフラッグ）であり、１０〜１５ｃｍ程度の旗竿１１と標章部１２および擬似国旗球１３を一体セットものとしたものである。図２に示した１５は縦スリットで、台紙６の下欄に一対を１組として上下２組形成されており、これらのスリット１５を介して簡易旗類１０とセット具１７とをカレンダー配布前に横差込式にセットしておくようにする。これら簡易旗類１０やセット具１７を台紙６の下欄にセットしておくと、その前面側に暦紙８…が対応して見えなくするので、これら１０，１７を取り外したあとの縦スリット１５が目立たずカレンダーとして好ましい。
【００１１】  セット具１７は、厚紙や樹脂シート、アルミや銅などの金属シートなどを使用して幅が１．５〜２ｃｍで長さが１２ｃｍ程度の帯長板をセット用原材ａとし、その原材ａに、山折り・谷折りの表示ｂと適数個の通し孔ｃ…を付すとともに裏面に細幅状の両面テープｄを備えて出来ており、その原材ａを、図２の状態から配布先の方に図１の左欄のように２段階突状に折り曲げ上下に通し孔ｃ…が対応するセット具１７として仕上げてもらい、さらに両面テープｄを裏面に設けて図１のようにカレンダー５の台紙６の上段表面に貼り付けてもらうようにします。
【００１２】  このセット具１７の貼り付けはカレンダー配布後に配布を受けた人によってなされ、そのあと、祝日がくる度に簡易旗類１０を図２の収納状態から抜き出して図１のようにセット具１７にセットして祝うものとする。尚、簡易旗類１０の旗竿１１には、セット具１７に留めるためのストッパ１８を取り付けておく。簡易旗類１０は祝日が終われば図２のように収めておくようにするが、図１のように掲げたままにしてもよい。
【００１３】  図３は他の実施形態を示し、この実施形態は、セット具２０を、１つの山形部と一対の座部とを有する折り曲げ型の原材ａと一対の通し孔ｃを有し、両面テープｄを備えたものにして貼付可能式に構成したものである。原材ａは紙や樹脂、薄金属板などいかなる材料も使用できる。セット具２０は、原材ａを折り曲げたりあるいは一体成形してなるものである。セット具２０を貼付したあとは、祝日などにおいて、上下の通し孔ｃに旗竿１１が通されるようにして簡易旗類１０をセットする。
【００１４】  図４は他の実施形態を示し、この実施形態は、暦紙２３…を綴じる綴じ具２４の裏面に、両面接着マット２５を備えて台紙２６上に貼り付けるようにしたものであって、特に、前記マット２５を複数にしてその間に通し隙間２７を形成しておくことで、この隙間２７に旗竿１１を通せば簡易旗類１０をカレンダーにセットできるようにしたものである。祝日後に取り外された簡易旗類１０は、図２のように収納してもよい。尚、綴じ具２４の上端縁部内に通し隙間２８を利用して簡易旗類１０を横向きに差し入れてセット可能にしてもよい。
【００１５】  図５ないし図７は他の実施形態を示す。同実施形態は、幅狭側（内巻部）と幅広側（外巻部）とでなり共にＵ字形をした一側片部３１と他側片部３２とを半円状のつなぎ部３３を介して一体折り曲げ成形した金属ゼムクリップ製のクリップ３４と、前記つなぎ部３３を一体埋込固定してなる樹脂製の受片３５とを有するセット具３６についてのもので、受片３５には、樹脂一体成形で国旗球３７付き旗竿３８がクリップ３４に直交する垂直向きに突設され、旗竿３８に一体あるいは別体（紙や布など）の標章部（日の丸）３９が設けられて１つのカレンダー用の簡易旗類（日の丸）掲示具が構成されている。
【００１６】  図５ないし図７の４１はカレンダーの構成紙４１を表からみたもので、そのうち図５は構成紙４１にクリップ３４を挟んで日の丸である標章部３９を掲示しようとする様子を示し、図６は構成紙４１にクリップ３４を挟んで進め、セット具３６の一端が構成紙４１の縁に当たって止まり回り止めされた様子を示している。このとき、標章部３９は、構成紙４１の前側にあって祝日用の掲示状態にある。一方、図７は、祝日ののち標章部３９を構成紙４１の裏側に納めた状態を示している。
尚、旗竿３８は、図５の右欄に示すように、クリップ３４の他側片部３２から一体に伸びるように形成してもよい。また、同旗竿３８は、セット具３６とは別体にして同セット具３６の孔に差し込むようにしてもよい。
【００１７】  図８は前記クリップ３４を回すことにより標章部３９をカレンダーの表側に掲出するか裏側に仕舞うようにした操作方法を図示している。
図９は他の実施形態を示す。同実施形態は、セット具３６には回転軸４３を設けてそれに旗竿３８を取り付けて回転自在にすることにより実線のようにカレンダーの側脇に掲出したり破線のようにカレンダー裏に仕舞ったりすることができるように構成してもよい。
尚、前記クリップ３４の一側片部３１は、図１０に示すような１枚の舌片状に形成したり、他側片部３２も平面Ｕ字の舌片状のものに形成してもよい。この場合、受片３５に差込孔３５ａを形成しておいて旗竿３８を差し込み可能にしてもよい。
また、クリップ３４は金属製以外に透明な樹脂製で前方から見え難いものにしてもよい。
【００１８】  図１１はクリップ３４をハート形前面形状にしてカレンダーの構成紙４１の表側に美的なハート形状が１年を通して表れていることでカレンダーを美的にするようにしたもので、クリップ３４は、一側片部３１をハート形とし、他側片部３２を構成紙４１の裏面にくるものとしてＶ字形をなすものにして、これら一側片部３１と他側片部３２とをつなぎ部３３でつないだものである。一側片部３１の一端には延伸部３１ａを設けて旗竿３８の下端を差し込むようにしたものである。延伸部３１ａと旗竿３８とを一体ものにしてもよい。
図１２は神棚受板や机天板などの板４５に、旗竿４６と標章部（日の丸）４７を備えたミニチュア型簡易旗類４８を取付掲示するようにした例を示す。旗竿４６の下部はねじ部４６ａとされ、そのねじ部４６ａの下端には下部爪５０付きの固定ホルダー５１が固着され、ねじ部４６ａのそれより上側外周には、上部爪５２付きの可動ホルダー５３が設けられてねじ部４６ａ回りで軸方向に移動自在とされるとともにねじ部４６ａにねじ付けられたロックナット５４によりこの可動ホルダー５３を締め付け得るように構成したものである。上部および下部爪５２，５０を板４５の厚みよりも開いて板４５の上下に対応させ、そのあと、ロックナット５４をねじ込んで上部爪５２を押下げて下部爪５０との間に板４５を挟み付けて簡易旗類４８を立てるようにする。祝日を終えると、ロックナット５４を緩めることで爪５２，５０間が広がって簡易旗類４８を取り外し仕舞うことができるようになる。
【００１９】  図１３は神棚などの板５７上に円板などの座板５８を刺し針５９の刺し込みにより固定し、その上面に吸盤６０を吸着するようにしてその吸盤６０の孔６１を介して標章部６２付きの旗竿６３を差し込んで掲示できるように構成した例を示す。
【符号の説明】
【００２０】  １…取付対象壁面  ５…カレンダー  ６…台紙  １０…ミニチュア型簡易旗類  １１…旗竿  １２…標章部  １７…セット具。
【図１】
0003182720.tif 000003
【図２】
0003182720.tif 000004
【図３】
0003182720.tif 000005
【図４】
0003182720.tif 000006
【図５】
0003182720.tif 000007
【図６】
0003182720.tif 000008
【図７】
0003182720.tif 000009
【図８】
0003182720.tif 000010
【図９】
0003182720.tif 000011
【図１０】
0003182720.tif 000012
【図１１】
0003182720.tif 000013
【図１２】
0003182720.tif 000014
【図１３】
0003182720.tif 000015
【手続補正書】
【提出日】平成25年1月15日(2013.1.15)
【手続補正１】
【補正対象書類名】実用新案登録請求の範囲
【補正対象項目名】全文
【補正方法】変更
【補正の内容】
【実用新案登録請求の範囲】
【請求項１】
セット用原材に山折り・谷折りの表示と適数個の通し孔を付したものを突状に折り曲げて上下に前記通し孔が対応するように仕上げた状態となしてカレンダー側へ装着し得るようにしたセット具と、前記セット具の通し孔に通されて一定の高さで留まるようにされる旗竿を有する簡易旗類とからなることを特徴とするカレンダー用簡易旗類掲揚具。
【手続補正２】
【補正対象書類名】明細書
【補正対象項目名】全文
【補正方法】変更
【補正の内容】
【考案の詳細な説明】
【技術分野】
【０００１】  本考案は、カレンダー用簡易旗類掲揚具に関する。
【背景技術】
【０００２】  カレンダーには、その上欄に風景や教訓などが表示され下欄には１ヶ月あるいは通年の暦表が表示されたものや１枚の紙面全体に暦表が表示され１ヶ月毎にめくるか破り取って新規なものにしてゆくようにしたものなど各種のものがある。
【先行技術文献】
【特許文献】
【０００３】
【特許文献１】
【考案の概要】
【考案が解決しようとする課題】
【０００４】  近年、国民の祝日における国旗掲揚の意思のある国民は非常に少なくなってきた一方において、国民に対する国旗掲揚推進への啓蒙も進んでいるのが現状である。しかし、こうした推進、啓蒙にも拘らず現実には国旗掲揚する者は依然として少なく、その有効な対策が望まれているところである。【０００５】  本考案は、こうした問題を解決しようとするものであり、身近なカレンダーを対象にして関連付けることで祝日などにおいて簡便に旗類を掲揚できて玄関先に本旗を掲げる行為の代わりともし得るようにしたカレンダー用簡易旗類掲揚具を提供することを目的とする。
【課題を解決するための手段】
【０００６】  本考案は上記目的を達成するため、請求項１に記載の考案は、セット用原材に山折り・谷折りの表示と適数個の通し孔を付したものを突状に折り曲げて上下に前記通し孔が対応するように仕上げた状態となしてカレンダー側へ装着し得るようにしたセット具と、前記セット具の通し孔に通されて一定の高さで留まるようにされる旗竿を有する簡易旗類とからなることを特徴とする。
【考案の効果】
【０００７】  上述したように請求項１に記載の考案は、セット用原材に山折り・谷折りの表示と適数個の通し孔を付したものを突状に折り曲げて上下に前記通し孔が対応するように仕上げた状態となしてカレンダー側へ装着し得るようにしたセット具と、前記セット具の通し孔に通されて一定の高さで留まるようにされる旗竿を有する簡易旗類とからなることを特徴とするので、身近なカレンダーを対象にして関連付けることで祝日などの特定日に対応して簡便にミニチュア型簡易旗類を掲揚できて玄関先に本旗を掲げる行為の代わりとなる意思表示ともし得るようにしたカレンダー用簡易旗類掲揚具を提供することができる。
【図面の簡単な説明】
【０００８】
【図１】  本考案の一実施形態を示す正面図。
【図２】  図１のミニチュア型簡易旗類とセット具の予備付設方法を示す斜視図。
【図３】  他の実施形態を示す分解斜視図。
【図４】  他の実施形態を示す斜視図。
【図５】  他の実施形態を示す掲揚具取付要領正面図。
【図６】  図５と同一の実施形態を示す掲揚具取付後の正面図。
【図７】  図５と同一の実施形態を示す掲揚具収納後の正面図。
【図８】  図６の他の操作方式例を示す正面図。
【図９】  他の実施形態を示す正面図。
【図１０】  他の実施形態を示す正面図。
【図１１】  他の実施形態を示す正面図。
【図１２】  他の実施形態を示す正面図。
【図１３】  他の実施形態を示す正面図。
【考案を実施するための形態】
【０００９】  以下、本考案であるカレンダー用簡易旗類掲揚具の一実施形態を図１および図２に基づいて説明する。
これらの図において、１は取付対象壁面で、同壁面１の適所にはフック２が取り付けられ、同フック２を介して中央の掛孔３を掛け留めることによりカレンダー５が吊り掛けられている。このカレンダー５は、台紙６と綴じ具７および各月ごとに暦表示された１２ヶ月分の暦シート８…とを備え、台紙６は、上半分の欄に富士山などの景色などを表示する一方、下半分には、１２ヶ月分の暦紙８…を綴じ具７で纏めたものが止め付けられている。このカレンダー５は、１枚の紙に１年分の暦が表示されたタイプであったり、月別の暦紙を端縁のスパイラルリングなどで綴じたタイプ（卓上カレンダーも含む）でもよい。
【００１０】  １０はミニチュア型簡易旗類である日の丸国旗セット（ミニフラッグ）であり、１０〜１５ｃｍ程度の旗竿１１と標章部１２および擬似国旗球１３を一体セットものとしたものである。図２に示した１５は縦スリットで、台紙６の下欄に一対を１組として上下２組形成されており、これらのスリット１５を介して簡易旗類１０とセット具１７とをカレンダー配布前に横差込式にセットしておくようにする。これら簡易旗類１０やセット具１７を台紙６の下欄にセットしておくと、その前面側に暦紙８…が対応して見えなくするので、これら１０，１７を取り外したあとの縦スリット１５が目立たずカレンダーとして好ましい。
【００１１】  セット具１７は、厚紙や樹脂シート、アルミや銅などの金属シートなどを使用して幅が１．５〜２ｃｍで長さが１２ｃｍ程度の帯長板をセット用原材ａとし、その原材ａに、山折り・谷折りの表示ｂと適数個の通し孔ｃ…を付すとともに裏面に細幅状の両面テープｄを備えて出来ており、その原材ａを、図２の状態から配布先の方に図１の左欄のように２段階突状に折り曲げ上下に通し孔ｃ…が対応するセット具１７として仕上げてもらい、さらに両面テープｄを裏面に設けて図１のようにカレンダー５の台紙６の上段表面に貼り付けてもらうようにします。
【００１２】  このセット具１７の貼り付けはカレンダー配布後に配布を受けた人によってなされ、そのあと、祝日がくる度に簡易旗類１０を図２の収納状態から抜き出して図１のようにセット具１７にセットして祝うものとする。尚、簡易旗類１０の旗竿１１には、セット具１７に留めるためのストッパ１８を取り付けておく。簡易旗類１０は祝日が終われば図２のように収めておくようにするが、図１のように掲げたままにしてもよい。
【００１３】  図３は他の実施形態を示し、この実施形態は、セット具２０を、１つの山形部と一対の座部とを有する折り曲げ型の原材ａと一対の通し孔ｃを有し、両面テープｄを備えたものにして貼付可能式に構成したものである。原材ａは紙や樹脂、薄金属板などいかなる材料も使用できる。セット具２０は、原材ａを折り曲げたりあるいは一体成形してなるものである。セット具２０を貼付したあとは、祝日などにおいて、上下の通し孔ｃに旗竿１１が通されるようにして簡易旗類１０をセットする。
【００１４】  図４は他の実施形態を示し、この実施形態は、暦紙２３…を綴じる綴じ具２４の裏面に、両面接着マット２５を備えて台紙２６上に貼り付けるようにしたものであって、特に、前記マット２５を複数にしてその間に通し隙間２７を形成しておくことで、この隙間２７に旗竿１１を通せば簡易旗類１０をカレンダーにセットできるようにしたものである。祝日後に取り外された簡易旗類１０は、図２のように収納してもよい。尚、綴じ具２４の上端縁部内に通し隙間２８を利用して簡易旗類１０を横向きに差し入れてセット可能にしてもよい。
【００１５】  図５ないし図７は他の実施形態を示す。同実施形態は、幅狭側（内巻部）と幅広側（外巻部）とでなり共にＵ字形をした一側片部３１と他側片部３２とを半円状のつなぎ部３３を介して一体折り曲げ成形した金属ゼムクリップ製のクリップ３４と、前記つなぎ部３３を一体埋込固定してなる樹脂製の受片３５とを有するセット具３６についてのもので、受片３５には、樹脂一体成形で国旗球３７付き旗竿３８がクリップ３４に直交する垂直向きに突設され、旗竿３８に一体あるいは別体（紙や布など）の標章部（日の丸）３９が設けられて１つのカレンダー用の簡易旗類（日の丸）掲揚具が構成されている。
【００１６】  図５ないし図７の４１はカレンダーの構成紙４１を表からみたもので、そのうち図５は構成紙４１にクリップ３４を挟んで日の丸である標章部３９を掲揚しようとする様子を示し、図６は構成紙４１にクリップ３４を挟んで進め、セット具３６の一端が構成紙４１の縁に当たって止まり回り止めされた様子を示している。このとき、標章部３９は、構成紙４１の前側にあって祝日用の掲揚状態にある。一方、図７は、祝日ののち標章部３９を構成紙４１の裏側に納めた状態を示している。
尚、旗竿３８は、図５の右欄に示すように、クリップ３４の他側片部３２から一体に伸びるように形成してもよい。また、同旗竿３８は、セット具３６とは別体にして同セット具３６の孔に差し込むようにしてもよい。
【００１７】  図８は前記クリップ３４を回すことにより標章部３９をカレンダーの表側に掲出するか裏側に仕舞うようにした操作方法を図示している。
図９は他の実施形態を示す。同実施形態は、セット具３６には回転軸４３を設けてそれに旗竿３８を取り付けて回転自在にすることにより実線のようにカレンダーの側脇に掲揚したり破線のようにカレンダー裏に仕舞ったりすることができるように構成してもよい。
尚、前記クリップ３４の一側片部３１は、図１０に示すような１枚の舌片状に形成したり、他側片部３２も平面Ｕ字の舌片状のものに形成してもよい。この場合、受片３５に差込孔３５ａを形成しておいて旗竿３８を差し込み可能にしてもよい。
また、クリップ３４は金属製以外に透明な樹脂製で前方から見え難いものにしてもよい。
【００１８】  図１１はクリップ３４をハート形前面形状にしてカレンダーの構成紙４１の表側に美的なハート形状が１年を通して表れていることでカレンダーを美的にするようにしたもので、クリップ３４は、一側片部３１をハート形とし、他側片部３２を構成紙４１の裏面にくるものとしてＶ字形をなすものにして、これら一側片部３１と他側片部３２とをつなぎ部３３でつないだものである。一側片部３１の一端には延伸部３１ａを設けて旗竿３８の下端を差し込むようにしたものである。延伸部３１ａと旗竿３８とを一体ものにしてもよい。
図１２は神棚受板や机天板などの板４５に、旗竿４６と標章部（日の丸）４７を備えたミニチュア型簡易旗類４８を取付掲揚するようにした例を示す。旗竿４６の下部はねじ部４６ａとされ、そのねじ部４６ａの下端には下部爪５０付きの固定ホルダー５１が固着され、ねじ部４６ａのそれより上側外周には、上部爪５２付きの可動ホルダー５３が設けられてねじ部４６ａ回りで軸方向に移動自在とされるとともにねじ部４６ａにねじ付けられたロックナット５４によりこの可動ホルダー５３を締め付け得るように構成したものである。上部および下部爪５２，５０を板４５の厚みよりも開いて板４５の上下に対応させ、そのあと、ロックナット５４をねじ込んで上部爪５２を押下げて下部爪５０との間に板４５を挟み付けて簡易旗類４８を立てるようにする。祝日を終えると、ロックナット５４を緩めることで爪５２，５０間が広がって簡易旗類４８を取り外し仕舞うことができるようになる。
【００１９】  図１３は神棚などの板５７上に円板などの座板５８を刺し針５９の刺し込みにより固定し、その上面に吸盤６０を吸着するようにしてその吸盤６０の孔６１を介して標章部６２付きの旗竿６３を差し込んで掲揚できるように構成した例を示す。
【符号の説明】
【００２０】  １…取付対象壁面  ５…カレンダー  ６…台紙  １０…ミニチュア型簡易旗類  １１…旗竿  １２…標章部  １７…セット具。